(57)【要約】 【課題】  磁気ヘッド部先端の磨耗の発生や、磁気カードの厚さに変動があっても、磁気ヘッド部と磁気カードの圧接力を常に必要最小限の一定値にすること。【解決手段】  磁気カード搬送方向に延びるワイヤバネ９０を介して錘９５の自重を磁気カード搬送方向の前後２点で均等に磁気ヘッド部６０に加える磁気ヘッド機構であって、磁気ヘッド部６０を側方から保持すると共に上部の２点でワイヤバネ９０を貫通させる保持部材８０と、この保持部材８０で保持された磁気ヘッド部６０の磁気カード搬送方向の前後に位置しワイヤバネ９０の下方向及び水平方向への変位を制限する支持部材７２と、カード走行溝部を有すると共に支持部材７２が一体化されたフレーム５０とを備える磁気ヘッド機構である。また支持部材７２の側面は錘９５の内面に接し、錘９５の動きをその自重方向のみに制限している。【選択図】  図１
2008282469.tif 000002
【特許請求の範囲】
【請求項１】
水平方向かつ磁気カード搬送方向に延在する線状のワイヤバネを介して錘の自重を磁気カード搬送方向の前後２点で均等に磁気ヘッド部に加える磁気ヘッド機構であって、
前記磁気ヘッド部を側方から保持すると共に上部の２点にて前記ワイヤバネを貫通させる保持部材と、
前記保持部材で保持された磁気ヘッド部の前記磁気カード搬送方向の前後に位置し前記ワイヤバネの下方向及び水平方向への変位を制限する支持部材と、
カード走行溝部を有すると共に前記支持部材が一体化されたフレームとを備えることを特徴とする磁気ヘッド機構。
【請求項２】
前記支持部材の側面は前記錘の内面に接し、前記錘の動きをその自重方向のみに制限したことを特徴とする請求項１記載の磁気ヘッド機構。
【発明の詳細な説明】
【技術分野】
【０００１】
本発明は、磁気カードに対して情報を磁気的に記録及び再生の少なくとも一方を行う磁気ヘッド機構に関するものであり、手動によりまたは機械的に駆動されて走行する磁気カードの記録再生面に対して磁気ヘッド部を所定の状態に支持するための磁気ヘッド機構に関する。
【背景技術】
【０００２】
従来の磁気ヘッド機構を図５に示す。図５（ａ）はその平面図、図５（ｂ）はＣ−Ｃ断面図である。尚、図５（ｂ）において、磁気ヘッド部６０は断面であるが、その断面形状は複雑であり、図示の繁雑さを避けるために斜線を付していない。図５において、この磁気ヘッド機構は、端子６１を持つ磁気ヘッド部６０と、走行する磁気カード１００の近傍に配置される固定部としての支持部材７１及び７２と、磁気ヘッド部６０を保持するヘッドブロック部としての保持部材８０と、両側の支持部材７１と保持部材８０との間に設けられ磁気ヘッド部６０を磁気カード１００の記録再生面１０１へ向けて付勢するバネ部としてのワイヤバネ９０とを有している。尚、フレーム５０のカード走行溝部５１は、操作上の理由等により、磁気カード１００の厚さに対して余裕を持ったった溝幅に形成されるのが普通である。よって実際に磁気カード装置で磁気カード１００を使用する際には、磁気カード１００がフレーム５０のカード走行溝部５１内にて傾斜したまま走行したり、揺動しながら走行する場合がある。磁気ヘッド機構には、このような場合でも正確な情報記録再生を実現できるように、磁気ヘッド部６０の磁気カード１００に対する追従性が要求される。すなわち、磁気ヘッド機構には、磁気カード１００がいかなる走行姿勢であっても、磁気ヘッド部６０のギャップ部分が磁気カード１００の記録再生面１０１に対して常に所定の位置関係を確保できることが要求される。
【０００３】
このようにワイヤバネを用いて磁気ヘッド部を磁気カードの記録再生面へ向けて付勢する機構以外に、たとえば特許文献１のように、ねじりコイルバネを用いて磁気ヘッドを磁気カードの記録再生面に密着させる例などもある。
【０００４】
【特許文献１】特開平５−７３８６１号公報
【発明の開示】
【発明が解決しようとする課題】
【０００５】
従来の磁気ヘッド機構では、図５のように、ワイヤバネ９０による磁気ヘッド部６０と磁気カード１００の圧接力は、磁気カード１００を挿入したときの磁気ヘッド部６０の変位量によって決まっていた。また、その変位量は、図２に断面図で示すように、磁気カード１００の厚さｔ２と、磁気ヘッド部６０先端からフレーム５０のカード走行溝部５１の対向面への距離ｔ１との差である。
【０００６】
ところで、磁気ヘッド部６０先端とフレーム５０のカード走行溝部５１の対向面の距離ｔ１は、磁気ヘッド部６０先端の経時的な磨耗により変化する。また磁気カード１００の厚さｔ２も使用の範囲の中で変わる。そのため、従来は磁気ヘッド部６０先端の許容磨耗量、及び使用する磁気カード１００の最小厚さに合わせて圧接力を決めていた。
【０００７】
しかし、磁気ヘッド部６０先端の磨耗が無い使用開始の初期や、厚さ大の磁気カード１００を使用するときは圧接力が過多となり、磁気ヘッド部６０先端の磨耗を促進させたり、磁気カード１００の搬送負荷を大きくするという欠点があった。
【０００８】
よって本発明は、磁気ヘッド部先端の磨耗の発生や、磁気カードの厚さに使用の範囲があっても、磁気ヘッド部と磁気カードの圧接力を常に必要最小限の一定値にすることを目的とする。
【課題を解決するための手段】
【０００９】
上記課題を解決するために、本発明では、錘の自重により、磁気ヘッド部と磁気カードを圧接させ、その圧接力を、読み取り・書き込みの必要最小限の値となるようにした。
【００１０】
その作用を説明すると、磁気ヘッド部先端の経時的な磨耗や、磁気カードの厚さの使用の範囲によって磁気カードを挿入したときの磁気ヘッド部の変位量に幅があっても、錘の自重を磁気ヘッド部に加えることで、磁気ヘッド部と磁気カードの圧接力は常に読み取り・書き込みの必要最小限の一定値とすることができる。
【００１１】
すなわち、本発明の磁気ヘッド機構は、水平方向かつ磁気カード搬送方向に延在する線状のワイヤバネを介して錘の自重を磁気カード搬送方向の前後２点で均等に磁気ヘッド部に加える磁気ヘッド機構であって、前記磁気ヘッド部を側方から保持すると共に上部の２点にて前記ワイヤバネを貫通させる保持部材と、前記保持部材で保持された磁気ヘッド部の磁気カード搬送方向の前後に位置し前記ワイヤバネの下方向及び水平方向への変位を制限する支持部材と、カード走行溝部を有すると共に前記支持部材が一体化されたフレームとを備えることを特徴とする。
【００１２】
また前記支持部材の側面は前記錘の内面に接し、前記錘の動きをその自重方向のみに制限するとよい。
【発明の効果】
【００１３】
本発明によれば、磁気ヘッド部先端の経時的な磨耗や、磁気カードの厚さの使用の範囲によって、磁気カードを挿入したときの磁気ヘッド部の変位量に幅があっても、磁気ヘッド部と磁気カードの圧接力は常に必要最小限の値とすることが出来るので、磁気ヘッド部先端の磨耗を抑制でき、カードの搬送負荷を必要最小限に抑えることが出来る。
【発明を実施するための最良の形態】
【００１４】
本発明の一実施の形態での磁気ヘッド機構を図１に示す。図１（ａ）はその平面図、図１（ｂ）はＡ−Ａ断面図、図１（ｃ）は側面図である。尚、図１（ｂ）において、磁気ヘッド部６０の部分は断面であるが、図示の繁雑さを避けるために斜線を付していない。
【００１５】
この磁気ヘッド機構の特徴は、磁気ヘッド部６０に近い一対の支持部材７２のみ有する新たなフレーム５０を用い、その支持部材７２と、磁気ヘッド部６０の保持部材８０との間を通過し磁気カード搬送方向に延びる線状のワイヤバネ９０を設け、保持部材８０の上部２点でワイヤバネ９０を貫通させ、磁気カード１００の搬送方向の前後２点で均等に磁気ヘッド部６０に圧力が加わるように、錘９５をワイヤバネ９０に載せる。また錘９５は、磁気カード１００を挿入し磁気ヘッド部６０が持ち上がった際の圧接力が読み取り・書き込みの必要最小限の値となるような形状／材質とする。さらに錘９５は、支持部材７２との位置関係から回転姿勢を固定し、自重方向のみ可動とする。
【００１６】
その錘、ワイヤバネ及び支持部材の斜視図を図４に示す。図４（ａ）は錘９５とワイヤバネ９０、図４（ｂ）は支持部材７２を示す。このような部材により、錘９５の重量がワイヤバネ９０を介して保持部材８０に保持された磁気ヘッド部６０に加えられる。また、錘９５の内側には支持部材７２が配設されているので、錘９５は自重方向にのみ可動となっている。
【００１７】
この構成であれば、磁気カード１００を挿入したときの磁気ヘッド部６０の変位量に幅があっても、錘９５にかかる一定の重力がワイヤバネ９０に加えられるので、磁気ヘッド部６０と磁気カード１００の圧接力は常に読み取り・書き込みの必要最小限の値になるように設定できる。その錘９５には、アルミ、亜鉛などのダイキャストを用い、天面の厚みで重さを調整することにより、圧接力を必要最小限の値にすることができる。
【００１８】
さらに補足する。図５の従来技術ではワイヤバネ９０の両端部を設定位置に固定することによって、磁気ヘッド部６０が持ち上げられたときの変位量に応じた圧接力を発生していた。それに対して本発明では、錘によってワイヤバネの両側部分に一定の荷重を加えている。
【００１９】
図１のように、磁気カード１００が無い状態では、ワイヤバネ９０が支持部材７２の上部に形成された溝の底に当接することで、磁気ヘッド部６０は下降を制限され、一定の高さに保たれる。次に、磁気カード１００が搬送されてきたときには、ワイヤバネ９０は支持部材７２の溝から浮き上がり、それと同時に錘９５の自重がワイヤバネ９０を介して保持部材８０に加えられ、これに保持された磁気ヘッド部６０が磁気カード１００に圧接される。 
【００２０】
このとき、ワイヤバネ９０は磁気ヘッド部６０の保持部材８０を磁気カード搬送方向の前後２点で加圧することによって、磁気ヘッド部６０の姿勢を安定に保ち、さらに、支持部材７２の側面に錘９５の内面が接する形状にし、錘９５の動きをその自重方向にのみ制限することで、磁気ヘッド部６０の姿勢をさらに安定にする。
【００２１】
図３は本発明の他の実施の形態による磁気ヘッド機構を示し、図３（ａ）はその平面図、図３（ｂ）はＢ−Ｂ断面図、図３（ｃ）は模式的な右側面図である。尚、図３（ｃ）では、簡略化のために、右側のワイヤバネストッパを除去し、隠れ線（破線）は支持部材７２の表面と錘９５の内面を表す線のみとした。
【００２２】
本実施の形態では、錘９５の上側に錘ストッパ９６を設け、錘９５の上方への動きを制限し、またワイヤバネストッパ７３をワイヤバネ９０の両端部にほぼ接するようにフレーム５０上に設け、ワイヤバネ９０の水平方向の動きを制限した。こうすることで、輸送時などに、錘９５またはワイヤバネ９０が外れることを防止する。尚、ワイヤバネストッパ７３はワイヤバネ９０が長手方向へ移動することを防止するためのものであり、ワイヤバネ９０の上下方向の動きには関与しない。
【００２３】
以上の結果、磁気ヘッド部６０先端の経時的な磨耗や、磁気カード１００の厚さの使用の範囲によって磁気カード１００を挿入したときの磁気ヘッド部６０の変位量に幅があっても、磁気ヘッド部６０と磁気カード１００の圧接力は常に必要最小限の値とすることが出来るので、磁気ヘッド部６０先端の磨耗を抑制でき、カードの搬送負荷を必要最小限に抑えることが出来る。
【図面の簡単な説明】
【００２４】
【図１】本発明の一実施の形態での磁気ヘッド機構を示し、図１（ａ）はその平面図、図１（ｂ）はＡ−Ａ断面図、図１（ｃ）は側面図。
【図２】磁気ヘッド部の変位量を示す断面図。
【図３】本発明の他の実施の形態による磁気ヘッド機構を示し、図３（ａ）はその平面図、図３（ｂ）はＢ−Ｂ断面図、図３（ｃ）は模式的な右側面図。
【図４】錘、ワイヤバネ及び支持部材を示し、図４（ａ）は錘とワイヤバネの斜視図、図４（ｂ）は支持部材の斜視図。
【図５】従来の磁気ヘッド機構を示し、図５（ａ）はその平面図、図５（ｂ）はＣ−Ｃ断面図。
【符号の説明】
【００２５】
５０  フレーム
５１  カード走行溝部
６０  磁気ヘッド部
６１  端子
７１、７２  支持部材
７３  ワイヤバネストッパ
８０  保持部材
９０  ワイヤバネ 
９５  錘
９６  錘ストッパ
１００  磁気カード
１０１  記録再生面
【図１】
2008282469.tif 000003
【図２】
2008282469.tif 000004
【図３】
2008282469.tif 000005
【図４】
2008282469.tif 000006
【図５】
2008282469.tif 000007